(57)【要約】【課題】糞便が地面に落ちる前に糞便を処理する犬の糞便処理具であって、犬の糞便処理する構造が極めて簡単であって、且つ非常に安価であり、しかも糞便を収納する袋体は使い捨てで衛生的である犬の糞便処理具を提供することである。【解決手段】後部に手持ち部を形成した杆体の先端に環状輪杆が形成され、この環状輪杆に上方を開口させた使い捨てプラスチック袋体を前記環状輪杆に着脱自在に吊り下げしてなる。【選択図】　　　　図１
2004016217.tif 000002
【特許請求の範囲】
【請求項１】
後部に手持ち部を形成した杆体の先端に環状輪杆が形成され、この環状輪杆に上方を開口させた使い捨てプラスチック袋体を前記環状輪杆に着脱自在に吊り下げすることを特徴とする犬の糞便処理具。
【請求項２】
後部に手持ち部を形成した杆体の先端に環状輪杆が形成され、この環状輪杆の後部に凹陥部を形成させ、且つこの環状輪杆に使い捨てプラスチック袋の上部を開口させて着脱自在に吊り下げすることを特徴とする犬の糞便処理具。
【請求項３】
後部に手持ち部を形成した杆体は、環状輪杆に対して傾斜状に設けてある請求項１又は２記載の犬の糞処理具。
【請求項４】
後部に手持ち部を形成した杆体の前方部に不透明性のプラスチックスカート部の一端を反転自在に吊着した請求項１又は２記載の犬の糞処理具。
【請求項５】
後部に手持ち部を形成した杆体を伸縮自在とした請求項１又は２記載の犬の糞便処理具。
【請求項６】
後部に手持ち部は湾曲状に形成した請求項１、請求項２、請求項３、請求項４、請求項５記載の犬の糞処理具。
【発明の詳細な説明】
【０００１】
【発明の属する技術分野】
この発明は、犬の糞便を簡単に処理し得る犬の糞便処理具に関する。
【０００２】
【従来の技術】
従来、犬の糞便を処理するのに、犬の散歩時に一旦地面に排泄した犬の糞便の上にプラスチック袋体を被せ、犬を世話をする人間が手作業にて糞便をプラスチック袋体にて糞便ごとすくいとることによりプラスチック袋体内部に糞便を収納し、これを散歩後に後始末していた。
【０００３】
【課題を解決するための手段】
犬等の糞便が地面に落ちる前に排泄物である糞便を処理するものとして特開２００１−３５２８５５号があるが、これは犬等が排泄分を把手部の先端に形成された糞を収納する補助袋とゴミ袋とからなるものであって、その構造からして複数回にわたって使用するものである。
【０００４】
【発明が解決しようとする課題】
上記のようなものでは、一旦地面に落ちた糞便を処理する場合、仮に糞便のみを処理できたとしても地面を汚すことになる。
【０００５】
また、地面に落ちる前に糞便を処理するものでは、軽量で且つ安価であって、且つ複数回にわたって衛生的に使用できるものでなければならない。
【０００６】
この発明は、糞便が地面に落ちる前に糞便を処理する犬の糞便処理具に関するものであって、その目的とするところは、犬の糞便処理する構造が極めて簡単であって、且つ非常に安価であり、しかも糞便を収納する袋体は使い捨てで衛生的である犬の糞便処理具を提供することである。
【０００７】
【課題を解決するための手段】
この発明は、後部に手持ち部を形成した杆体の先端に環状輪杆が形成され、この環状輪杆に上方を開口させた使い捨てプラスチック袋体を前記環状輪杆に着脱自在に吊り下げするものである。
【０００８】
又、使い捨てプラスチック袋体を取り付けるのに便利なように、後部に手持ち部を形成した杆体の先端に環状輪杆が形成され、この環状輪杆の後部に凹陥部を形成させ、且つこの環状輪杆に使い捨てプラスチック袋の上部を開口させて着脱自在に吊り下げするものである。
【０００９】
犬の糞便時に、それを処理する人の姿勢に無理がないように、後部に手持ち部を形成した杆体は、環状輪杆に対して傾斜状に設けてある。
【００１０】
犬の糞便時に、それを処理する人の嫌悪感を除去し、且つ犬の糞便処理後の持ち運びにも配慮して、時に、それを処理する人の後部に手持ち部を形成した杆体の前方部に不透明性のプラスチックスカート部の一端を反転自在に吊着してあるものである。
【００１１】
更に、持ち運び、収納に便利なように、後部に手持ち部を形成した杆体を伸縮自在とした。
【００１２】
【発明の実施の形態】
【実施例１】
図１は、犬の糞処理具の使用状態を示すもので、金属製又はプラスチック製よりなる線状又は棒状材料よりなる輪環状体３と、この輪環状体３は後部に設けられている手持ち２を含む杆体１の前方部に形成される。この輪環状体３の中央部の空隙部４には上部において開口する使い捨てプラスチック袋体５の上周縁を掛垂することによりプラスチック袋体５の上部を開口させて前記輪環状体３の外枠６の外周縁に支持させ、プラスチック袋体５を着脱自在に吊り下げしてなるものである。
【００１３】
図２〜図３では、輪環状体３に上部において開口する使い捨てプラスチック袋体５の外枠６の上周縁に着脱自在吊掛する一例を示してある。
即ち、輪環状体３の外枠６の外周部より若干大径の開口部８を有するプラスチック袋体５を図２のように、まず水平方向に挿入し、このプラスチック袋体５の開口部８の上端部Ｐ点を手指にて押さえることによって固定し、その状態のまま、次に輪環状体３の中央部の上方より手指にてゆっくり押し下げるとプラスチック袋体５は輪環状体３の外枠６に支持された状態で着脱自在に吊り下げしてなるものである。この場合、外へり部９は図１及び図３の示したように後部において浅くなる。
【００１４】
手持ち部２を含む杆体１は、図８に示すように伸縮自在に形成してあり、この杆体１は、輪環状体３に対して斜めに形成してあり、その長さは犬が糞便をしている時に立ったままその糞便処理操作をなし得る６０〜１００ｃｍが便利である。なお、手持ち部２には雨傘に一般に使用されているような掛け止め可能な湾曲状手持ち部に形成すれば、犬の糞便処理後の持ち運びが便利になる。
【００１５】
【実施例２】
図４に示すものでは、手持ち部１２を含む杆体１１の下端に輪環状体１３が形成されると共に、前記杆体１１の下端には凹陥部１４を形成し、該凹陥部１４と輪環状体１３とが隣接するようにしてあるものである。前記輪環状体１３には以下述べるように使い捨てプラスチック袋体１５の上部を開口させて着脱自在に吊り下げするものである。
【００１６】
このような凹陥部１４を設けた場合、輪環状体１３に上部開口１７のプラスチック袋体１５を取り付ける作業が簡便化される。即ち、
輪環状体１３に使い捨てプラスチック袋体１５の上部を開口させて着脱自在に吊り下げ方法としては、図５〜図６に示すように、輪環状体１３に対して水平方向に差し入れられたプラスチック袋体１５の開口部１７の上部を凹陥部１４の下部においてプラスチック袋体１５の上辺端部Ｑ点を固定し、図５のように環状輪杆１４に上部開口中央よりプラスチック袋体の上方面の中央を徐々に押し下げることによってプラスチック袋体１５の開口部１７の外へり部１８は凹陥部１４の深さとほぼ等しくすることができる。
【００１７】
この場合においても、前記実施例と同様に、手持ち部１２を含む杆体１１は、伸縮自在に形成してあり、そしてこの杆体１２は、糞便処理時には輪環状体１３に対して斜めに形成してあり、その長さは犬が糞便をしている時に立ったままその糞便をプラスチック袋体１５内部に受け取ることができる長さ、即ち６０〜１００ｃｍが便利であるが、それ以外の時にはこれを短くして犬の糞処理具を紙袋３０の内部に入れた状態で持ち運びすることができるようにしてあるものである。
【００１８】
なお、杆体１１の伸縮は、図８に示すように、伸縮釣竿のように、二段又は三段に伸縮するようにすればよい。
【００１９】
【実施例３】
犬の糞便の処理時に排泄物によって汚染されないように、杆体の前方部に、不透明性のプラスチックスカート部２１の一端を前方又は後方に反転自在に吊着するようにしておけば、犬の糞便処理時には不透明性のプラスチックスカート部２１によって手腕部が被覆されるようにし、更に糞便処理後に内部に糞便の入ったプラスチック袋体を被覆するようにプラスチックスカート部２１を前方方向に反転させれば、他人の視線から犬の糞便を完全に隠蔽することができる。
なお、図７において１９は犬等の糞便を示す。
【００２０】
【発明の効果】
請求項１の犬の糞処理具では、後部に手持ち部を形成した杆体の先端に環状輪杆が形成され、この環状輪杆に上方を開口させた使い捨てプラスチック袋体を前記環状輪杆に着脱自在に吊り下げるようにしてあるので、極めて簡単な構造であるから安価に提供することができ、犬の糞便の処理が簡単に行うことができる。
請求項２の犬の糞処理具では、後部に手持ち部を形成した杆体の先端に環状輪杆が形成され、この環状輪杆の後部に凹陥部を形成させ、且つこの環状輪杆に使い捨てプラスチック袋の上部を開口させて着脱自在に吊り下げするようにしてあるので、プラスチック袋の開口部の外へり部は凹陥部の深さとほぼ等しくすることが出来るから犬の糞便処理をより簡便に行うことができるものである。
請求項３の犬の糞処理具では、後部に手持ち部を形成した杆体は、環状輪杆に対して傾斜状に設けてあるので、犬の糞便処理の際には環状輪杆を水平状態のままで犬の糞を処理する人は直立したままで処理することができる。
請求項４の犬の糞処理具では、後部に手持ち部を形成した杆体の前方部に不透明性のプラスチックスカート部の一端を反転自在に吊着してあるので、衛生的に糞便の処理が可能であり、又は犬の糞便を人の目にさらすことがないから自分も他人も不快感を覚えることなく持ち運びすることができる。
請求項５の犬の糞処理具では、後部に手持ち部を形成した杆体を伸縮自在とてあので、糞便の処理をするときのみ杆体を伸長させ、それ以外の時にはこれを短縮して持ち運びすることができる。
請求項５の犬の糞処理具では、後部に手持ち部は湾曲状に形成してあるので、手指が塞がっている場合でも、犬を散歩させる人の腕、その他に掛け止めして持ち運びすることができる。
【図面の簡単な説明】
【図１】一部を切り欠いた示した犬の糞処理具の使用状態を示す斜視図
【図２】使い捨てプラスチック袋を装着前を示す断面図
【図３】使い捨てプラスチック袋を装着後を示す断面図
【図４】一部を切り欠いた示した凹陥部を設けた犬の糞処理具の使用状態を示す斜視図
【図５】凹陥部を設けた犬の糞処理具において使い捨てプラスチック袋を装着前を示す断面図
【図６】凹陥部を設けた犬の糞処理具において使い捨てプラスチック袋を装着後を示す断面図
【図７】プラスチックスカート部の一端を反転自在に吊着した状態を示す断面図
【図８】伸縮自在とした手持ち部の一部を示す一部断面図
【図９】環状輪杆の種々の形状（イ）（ロ）（ハ）（ニ）を示す一部平面図
【符号の説明】
１．．．杆体
２．．．手持ち部
３．．．輪環状体
４．．．空隙部
５．．．プラスチック袋体
６．．．外枠
８．．．プラスチック袋体の開口部
９．．．外へり部
Ｐ．．．固定点
１１．．杆体
１２．．手持ち部
１３．．輪環状体
１４．．凹陥部
１５．．使い捨てプラスチック袋体
１６．．輪環状体の開口
１７．．使い捨てプラスチック袋体の開口部
１８．．外へり部
１９．．犬等の糞便
２１．．プラスチックスカート部
Ｑ．．．固定点
【図１】
2004016217.tif 000003
【図２】
2004016217.tif 000004
【図３】
2004016217.tif 000005
【図４】
2004016217.tif 000006
【図５】
2004016217.tif 000007
【図６】
2004016217.tif 000008
【図７】
2004016217.tif 000009
【図８】
2004016217.tif 000010
【図９】
2004016217.tif 000011
【手続補正書】
【提出日】平成14年7月25日(2002.7.25)
【手続補正１】
【補正対象書類名】明細書
【補正対象項目名】００１７
【補正方法】変更
【補正の内容】
【００１７】
この場合においても、前記実施例と同様に、手持ち部１２を含む杆体１１は、伸縮自在に形成してあり、そしてこの杆体１２は、糞便処理時には輪環状体１３に対して斜めに形成してあり、その長さは犬が糞便をしている時に立ったままその糞便をプラスチック袋体１５内部に受け取ることができる長さ、即ち６０〜１００ｃｍが便利であるが、それ以外の時にはこれを短くして持ち運びすることができるようにしてあるものである。